(57)【要約】細い線及び皺を可視化する検査用キットが提供される。キットは、片面に接着剤を含む透明ストリップ（２）と透明ストリップを受容する少なくとも１つの暗色光沢領域をもつ造影基板とを含む。使用説明書がキットに添付されている。使用説明書は消費者に、測定を要する皮膚領域にストリップの接着剤面を配置するように助言する。その後、ストリップを剥がし、基板の暗色領域に配置する。転写された皮膚の像を暗色背景上に置くことによって皮膚のトポグラフィー的構造を透明ストリップ越しに観察できる。老化防止化粧品を所定期間にわたって皮膚に塗布する。定期的な測定を行うと、製品によって生じた有益な変化が検査用ストリップを介して可視化される。
2004530883.tif 000002
【特許請求の範囲】
【請求項１】
ヒトの皮膚の細い線及び皺を可視化するための検査用キットであって、
（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
（ｉｉｉ）測定を要する皮膚領域にストリップの接着剤面を配置し、ストリップを剥がし、基板の暗色領域にストリップを配置し、もっと後の時期に上記手順を繰り返し、次いで、初回及び次回の皮膚貼付ストリップから得られたパターンを比較することを消費者に指示する、キット内部の使用説明書と、
から成る検査用キット。
【請求項２】
前記接着剤が感圧接着剤であることを特徴とする請求項１に記載のキット。
【請求項３】
前記接着剤がアクリレートポリマーであることを特徴とする請求項２に記載のキット。
【請求項４】
老化防止化粧品の有効性を評価するための方法であって、その方法が、
（Ａ）（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
から成る
キットを準備する段階と、
（Ｂ）化粧品を皮膚に塗布する段階と、
（Ｃ）段階（Ｂ）の化粧品で処理した皮膚にストリップの接着剤面を配置する段階と、
（Ｄ）ストリップを剥がし、ストリップを基板の前記少なくとも１つの暗色領域の１つに配置する段階と、
（Ｅ）もっと後の時期に段階（Ｃ）と（Ｄ）とを繰り返し、初回及び次回の皮膚貼付ストリップから得られたパターンを比較する段階と、
から成る方法。
【請求項５】
更に、ストリップの接着剤面を配置する前に皮膚に散布用粉末を塗布する段階を含むことを特徴とする請求項４に記載の方法。
【請求項６】
前記散布用粉末が紙上に担持されて皮膚に供給されることを特徴とする請求項５に記載の方法。
【請求項７】
前記散布用粉末が水分散性二酸化チタンであることを特徴とする請求項５に記載の方法。
【発明の詳細な説明】
【技術分野】
【０００１】
本発明は、皮膚の皺の変化を評価するための検査用ストリップ、特に老化防止化粧品の有効性の測定に使用するためのこのような検査用ストリップに関する。
【背景技術】
【０００２】
一般人が自身の皮膚状態を自己診断するための検査用デバイスは多くの刊行物に開示されている。米国特許第３，５７１，９４７号（Ｍａｄｄｉｓｏｎら）は、シミを同定するシステムを開示している。よくある様々なタイプのシミの輪郭を、可撓性のコンプライアントなプラスチックフィルムに写し取る。これらのシミは種々の皮膚病を表す。医学便覧に参照することによってシミのタイプから疾病を同定する。更に、治療方法に関する索引を利用して、該当する病的異常に対して示唆された治療方法を見出す。
【０００３】
米国特許第５，７２７，９４９号（Ｂａｒ−Ｏｒら）は、二環パネル型照合カードを提案している。パネルは相対移動自在に装着されており、ある１つの皮膚の問題について選定した診断的特徴を第二の診断的特徴に位置合せすると、これらの特徴の特定の組合せに基づいて確定的な予後が示される。
【０００４】
ＣｕＤｅｒｍ  Ｃｏｒｐｏｒａｔｉｏｎは、皮膚の乾燥度を測定する簡単な診断試験を開発した。ＣｕＤｅｒｍは、偏平細胞（皮膚細胞）の小さい切片を採取し得る粘着性ディスク（Ｄ−ｓｑｕａｍｅ）を使用し、結果をチャートと比較する。ディスクは片面に接着剤の付いた透明プラスチックである。試験は、ディスクの接着剤面を使用者の頬に配置する段階と、ディスクを剥ぎ取る段階と、該ディスクを暗色の背景カード上に置く段階とから成る。皮膚の剥脱片が接着剤面に付着し、暗色背景上で可視化される。試験対象となる使用者の皮膚からは、ばらばらの剥脱片以外にトポグラフィー的圧痕を採取することは全くできない。
【０００５】
幾つかの皮膚有益効果を宣伝する多くの化粧品が販売されている。普通の消費者は宣伝されている有益効果が実際に提供されるか否かを判別できない。これらの有効物質が効果を与えることがたとえ認められるにしても、その効果は長期間にわたって極めてゆっくりとしか現れないこともあろう。老化防止有効物質は特に代表的な例である。顔面の細い線及び皺はアルファヒドロキシカルボン酸及び／またはレチノールのような有効物質によって最小限に抑えることはできるが、ある程度目に見える改善が得られるまでには長い使用期間が必要である。これらの有効物質は瞬時に機能することはできない。
【発明の開示】
【０００６】
従って、本発明の１つの利点は、長い使用期間にわたる化粧品の老化防止効果を消費者が自己診断するための廉価で簡単な検査方法を提供することにある。
【０００７】
本発明の別の利点は、顔の皮膚またはその他のヒトの皮膚の老化し易い部分の細い線及び皺の変化を測定する廉価で簡単な自己評価用ツールを提供することである。
【０００８】
ヒトの皮膚の細い線及び皺を可視化するための検査用キットであって、
（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
（ｉｉｉ）測定を要する皮膚領域にストリップの接着剤面を配置し、ストリップを剥がし、基板暗色領域にストリップを配置し、もっと後の時期に上記手順を繰り返し、次いで、初回及び次回の皮膚貼付ストリップから得られたパターンを比較することを消費者に指示する、キット内部の使用説明書と、
から成る検査用キットが提供される。
【０００９】
更に、老化防止化粧品の有効性を評価するための方法であって、その方法が、
（Ａ）（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
から成る
キットを準備する段階と、
（Ｂ）化粧品を皮膚に塗布する段階と、
（Ｃ）段階（Ｂ）の化粧品で処理した皮膚にストリップの接着剤面を配置する段階と、
（Ｄ）ストリップを剥がし、ストリップを基板の上記少なくとも１つの暗色領域の１つに配置する段階と、
（Ｅ）もっと後の時期に段階（Ｃ）と（Ｄ）とを繰り返し、初回及び次回の皮膚貼付ストリップから得られたパターンを比較する段階と、
から成る方法が提供される。
【００１０】
本発明の別の利点、特徴及び効果は図面に関する考察からいっそう容易に理解されるであろう。
【００１１】
老化防止用化粧品が効能書通りの効果を有するか否かを消費者が評価できる簡単な診断検査方法がここに知見された。老化防止効果の有効性を所定の期間にわたって廉価なキットによってモニターできる。キットは透明な接着剤層で被覆された透明なプラスチックテープを使用している。顔または身体の皺が生じ易い領域に貼付すると、接着剤層にトポロジー的な皺の圧痕が転写される。
【００１２】
この皺領域からストリップを剥離し、次に、暗色野、好ましくは黒色野に配置するとイメージが得られる。
【００１３】
図１は、剥離裏地４に接着剤で付着された透明ストリップ２を示す。ストリップ２は、右目または左目の近傍で目の外眼角（カラスの足跡の領域）全体に及ぶように腎臓形である。この弯曲形状は、目の外眼角の周囲をできるだけ大きく覆うことができるように考察されている。
【００１４】
タブ６がストリップ２に取り付けられている。このタブは摘まみ構造の役割を果たす。タブを最初に剥がすとストリップを剥離裏地から容易に分離できる。ストリップが透明であることに対比させてタブを不透明、好ましくは黒色にしてあるので、使用者はこの領域を見分けて此処から引き剥がしを開始するための目印になる。
【００１５】
図２はもっと細長い複葉形状の第二の実施態様を示す。ストリップ２′は剥離裏地４′に脱着自在に接着されている。タブ６′はストリップの２つの葉の間でストリップを二等分する対称軸に沿って配向及び配置されている。第一の実施態様よりももっと細長いこの実施態様の形状は、貼付したときに眉毛が接着剤に巻き込まれないようにするためである。毛髪が捕捉されるのは望ましくない。接着剤に毛髪が捕捉されると、ストリップを剥がすときに痛みを伴う。これは望ましくない疼痛要因であると考えられる。
【００１６】
種々の老化防止製品の有効性を検査する手順では、ストリップをその剥離裏地から分離する。次に、そのトポグラフィーを造影すべき皮膚の領域に沿ってストリップを配置する。所期の主な評価領域は顔面領域、特に目の周囲の領域である。次に、ストリップを剥がして造影カード８に載せる。カードの暗色背景、好ましくは黒色背景は圧痕を固定し、透明ストリップがこの圧痕を可視化する。図３は、造影カードの黒色背景上で可視化された細い線及び皺１０を示しているストリップを表す。
【００１７】
細い線及び皺の基底値を分析した後、選択した老化防止化粧品による治療を開始する。治療は、製品が老化の徴候を治療し得る十分な期間にわたって継続する。
【００１８】
第一の造影野に隣接して第二の造影野を配置する。例えば４週間という治療期間の経過後、第二の透明ストリップ２１に第二の圧痕を転写する。化粧品が適正に機能しているならば、第二の造影野に出現する細い線及び皺１１が少なくなっているであろう。この手順を更に６週間または８週間またはもっと長い期間で繰り返すことができる。各試験では新しいストリップ及び同じまたは別の造影カード上の新しい暗色領域を使用する。
【００１９】
好ましい実施態様では、キットが散布デバイスを含む。埋め込まれた水分散性二酸化チタンを支持しているセルローズ基板から形成された散布紙が最も好ましい。このデバイスはＬｅａｄｉｎｇ  Ｐｌｕｓ  Ｉｎｔｅｒｎａｔｉｏｎａｌ，Ｔａｉｗａｎから入手可能である。粘着性透明ストリップを貼付する前に、顔面の標的領域を散布紙でこする。粉末状二酸化チタンが均一な薄膜として該領域に付着する。次に、粘着性ストリップを接触させると、該ストリップは細い線及び皺の隆起に沿った粉末付着部分に優先的に接着する。これによって、細い線及び皺の粉末形態の像が得られる。上述のような紙製の供給システムが好ましいが、散布用粉末がタルカムパウダーの振り出し容器と同様の振り出し容器から排出されてもよい。
【００２０】
本発明に使用されるストリップは、より低い表面上のパターンを観察し得る透明品である。ストリップの適当な材料は、透明フィルムとして形成できる任意の種類のプラスチックまたはセルロース樹脂である。典型的にはプラスチックが、ポリエチレン、ポリプロピレン、ポリスチレン、ポリエステル、ポリカーボネート、ポリアクリレート、ポリ塩化ビニル、ポリビニルアルコール及びポリブテンから選択され得る。ホモポリマーだけでなくコポリマーもストリップ材料として利用し得る。コポリマーは、フリーラジカル重合によって構築された、Ｃ２−Ｃ１０オレフィン、塩化ビニル、アクリレート及びスチレンのようなモノマーから形成され得る。モノマーがＣ２−Ｃ１０ジカルボン酸、Ｃ２−Ｃ１０ポリオール、Ｃ２−Ｃ６アルコキシレート及びそれらの組合せから選択され得るコポリマーの形成には縮合プラスチックも利用し得る。ポリエチレン、ポリプロピレン及びポリエステルテレフタレートはストリップを形成するための好ましいプラスチック基板である。
【００２１】
ストリップの厚みは０．００１−２ｍｍ、好ましくは０．０１−１ｍｍ、より好ましくは０．１−０．５ｍｍ、最適には０．５−０．８ｍｍの範囲の任意の値でよい。
【００２２】
裏地は典型的には、一般に接着剤不透質の材料から接着剤不透過性になるように製造される。裏地は弾性であっても非弾性であってもよいが、好ましくは弾性である。可撓性であるときは接着ストリップの剥離がいっそう容易である。裏地は、有機ポリマー及びセルロース樹脂のような様々な材料から形成できる。隣接の接着ストリップを容易に剥離できるようにシリコーンのような剥離コーティングを裏地の上面に配置してもよい。
【００２３】
接着剤は感圧接着剤であり、０．０１ｍｍ−３ｍｍ、好ましくは０．０５ｍｍ−２ｍｍ、より好ましくは０．１ｍｍ−１ｍｍ、最適には０．４ｍｍ−０．８ｍｍの平均厚みの層を形成するのが好ましい。
【００２４】
本発明に使用するための適当な感圧接着剤は塗布可能な接着剤である。多様な種類の塗布可能な感圧接着剤、例えば、溶媒塗布、ホットメルト塗布が可能な感圧接着剤、並びに、水なしで塗布可能なラテックスＰＳＡなどを使用できる。また、無溶媒の硬化可能な接着剤（しばしば１００％固型分と呼ばれる）も使用できる。接着剤のもっと厚い被膜が望まれる場合には、接着剤を多層塗布するか、ホットメルト塗布するか、または、接着剤をｉｎ  ｓｉｔｕで光重合させるのが望ましい。感圧接着剤の特定例としては、イソオクチルアクリレート／アクリル酸コポリマーのようなアクリレート、粘着性が付与されたアクリレート、及び、米国特許第４，９４６，７４２号（Ｌａｎｄｉｎ）に開示されているような可塑剤含有アクリレート；熱硬化性ゴム、熱可塑性ゴム及びエラストマーのような天然または合成のゴム樹脂、例えば、ニトリルゴム（例えば、アクリロニトリル−ブタジエン）、スチレン−ブタジエン、スチレン−イソプレン、スチレン−ブタジエン−スチレン、スチレン−イソプレン−スチレン、及び、天然ゴム；シリコーン基材の接着剤、例えばポリシロキサン；ポリオレフィン；ポリエステル；ポリアミド；及びポリウレタンがある。
【００２５】
アクリル型の感圧接着剤が特に好ましい。粘着値の低い感圧接着剤が最も好ましい。これらの材料はＦｌｅｘｃｏｎ（Ｒ）という商標で市販されている。
【００２６】
ストリップ対接着剤の相対的厚みは、１：２００−２００：１、好ましくは１：１０−１０：１、最適には２：１−１：２の範囲でよい。ストリップ対接着剤の相対重量比は１：２００−２００：１、好ましくは１：１０−１０：１、最適には２：１−１：２の範囲でよい。
【００２７】
本発明の老化防止化粧品は、１種または複数の老化防止有効物質と化粧品担体とを含有し得る。代表的な有効物質は、アルファ−及びベータ−ヒドロキシ酸、レチノイド（例えば、レチノール及びレチニルパルミテート）、アスコルビン酸及び誘導体（例えば、アスコルビルテトライソパルミテート、マグネシウムアスコルビルホスフェート）、リポ酸、緑茶、トコフェロール及び誘導体、ジヒドロエピアンドロステロン（ＤＨＥＡ）及びそれらの組合せである。その量は製品の０．００００１−１０重量％の範囲でよい。担体は、水、シリコーン、天然及び合成のエステル（例えば、トリグリセリド、ラノリン及び脂肪酸エステル）、炭化水素、推進剤（プロペラント）、増粘剤、界面活性剤及びそれらの組合せである。その量は製品の５−９９．９重量％の範囲でよい。
【００２８】
老化防止化粧品は、クリーム、ローション、拭取りシート、エアロゾル、粉末及び経皮パッチのような様々な形態を有し得る。
【００２９】
処理実施例及び比較実施例を除いて、または、別の明白な指示がある場合を除いて、本明細書中の材料の量を示す全ての数値は“約”という語で修飾されることを理解されたい。
【００３０】
“から成る”という用語の意味は、その後に記述された要素に限定されることなく主要なまたは副次的な機能的重要性を有している不特定の要素を包含する。言い換えると、すべての段階、要素または任意選択要素を悉く網羅する必要はない。“含んでいる”または“有している”という用語が使用されているとき、これらの用語は常に、上記に定義の“から成る”に等価の意味を表す。
【００３１】
本文中及び特許請求の範囲に記載されたすべての部、パーセンテージ及び割合は、異なる指示がない限り重量基準の値である。
【図面の簡単な説明】
【００３２】
【図１】本発明の貼付ストリップの第一の実施態様である。
【図２】本発明の貼付ストリップの第二の実施態様である。
【図３】皮膚に貼付し、皮膚から剥離した後で、読み取りカードの暗色野に載せた図１の実施態様の貼付ストリップである。
【図１】
2004530883.tif 000003
【図２】
2004530883.tif 000004
【図３】
2004530883.tif 000005
【国際公開パンフレット】
2004530883.tif 000006
2004530883.tif 000007
2004530883.tif 000008
2004530883.tif 000009
2004530883.tif 000010
2004530883.tif 000011
2004530883.tif 000012
2004530883.tif 000013
2004530883.tif 000014
2004530883.tif 000015
2004530883.tif 000016
2004530883.tif 000017
2004530883.tif 000018
2004530883.tif 000019
2004530883.tif 000020
2004530883.tif 000021
【手続補正書】
【提出日】平成15年8月18日(2003.8.18)
【手続補正１】
【補正対象書類名】特許請求の範囲
【補正対象項目名】全文
【補正方法】変更
【補正の内容】
【特許請求の範囲】
【請求項１】
ヒトの皮膚の細い線及び皺を可視化するための検査用キットであって、
（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
（ｉｉｉ）測定を要する皮膚領域にストリップの接着剤面を配置し、ストリップを剥がし、基板の暗色領域にストリップを配置し、もっと後の時期に上記手順を繰り返し、次いで、初回及び次回の皮膚貼付ストリップから得られたパターンを比較することを消費者に指示するキット内部の使用説明書と、
から成る検査用キット。
【請求項２】
前記接着剤が感圧接着剤であることを特徴とする請求項１に記載のキット。
【請求項３】
前記接着剤がアクリレートポリマーであることを特徴とする請求項２に記載のキット。
【請求項４】
更に、ストリップの接着剤面を配置する前に皮膚に塗布する散布用粉末を含むことを特徴とする請求項１に記載のキット。
【請求項５】
前記散布用粉末が紙上に担持されて皮膚に供給されることを特徴とする請求項４に記載のキット。
【請求項６】
前記散布用粉末が水分散性二酸化チタンであることを特徴とする請求項４に記載のキット。
【請求項７】
老化防止化粧品の有効性を評価するための方法であって、その方法が、
（Ａ）（ｉ）皮膚からストリップを剥がした後に細い線及び皺の圧痕を維持するために十分な粘着性を有している接着剤をその片面に備えた透明ストリップと、
（ｉｉ）透明ストリップを受容する少なくとも１つの暗色領域を備えた造影基板と、
から成るキットを準備する段階と、
（Ｂ）化粧品を皮膚に塗布する段階と、
（Ｃ）段階（Ｂ）の化粧品で処理した皮膚にストリップの接着剤面を配置する段階と、
（Ｄ）ストリップを剥がし、ストリップを基板の前記少なくとも１つの暗色領域の１つに配置する段階と、
（Ｅ）もっと後の時期に段階（Ｃ）と（Ｄ）とを繰り返し、初回及び次回の皮膚貼付ストリップから得られたパターンを比較する段階と、
から成る方法。
【請求項８】
更に、ストリップの接着剤面を配置する前に皮膚に散布用粉末を塗布する段階を含むことを特徴とする請求項７に記載の方法。
【請求項９】
前記散布用粉末が紙上に担持されて皮膚に供給されることを特徴とする請求項８に記載の方法。
【請求項１０】
前記散布用粉末が水分散性二酸化チタンであることを特徴とする請求項８に記載の方法。
【国際調査報告】
2004530883.tif 000022
2004530883.tif 000023